(57)【要約】【課題】測定者の斜め上方にある測定対象物の地面からの高さを精度良く測定する。【解決手段】高さ測定器１は、レーザ距離計２と、支持部３と、吊下げ部４とを備える。レーザ距離計２は、レーザを出射してその反射光を受光して反射面までの距離を測定するものである。支持部３は、長尺状の部材である。吊下げ部４は、レーザ距離計２を支持部３の先端部３１に吊下げる部材である。この吊下げ部４は、全水平方向に揺動可能にレーザ距離計２を吊下げる。レーザ距離計２は、吊下げ部４によってレーザＬの出射方向が鉛直下向きになる。【選択図】図１
2019002685.tif 000002
【特許請求の範囲】
【請求項１】
測定対象物の地面からの高さを測定するための高さ測定器であって、
レーザを出射してその反射光を受光して反射面までの距離を測定するレーザ距離計と、
長尺状の支持部と、
前記レーザ距離計を前記支持部の先端部に吊下げる吊下げ部とを備え、
前記吊下げ部は、全水平方向に揺動可能に前記レーザ距離計を吊下げ、
前記レーザ距離計は、前記吊下げ部によってレーザの出射方向が鉛直下向きになることを特徴とする高さ測定器。
【請求項２】
前記吊下げ部は、球継手を有し、
前記レーザ距離計は、前記球継手を介して前記支持部の先端部に吊下げられることを特徴とする請求項１に記載の高さ測定器。
【請求項３】
請求項１又は請求項２に記載の高さ測定器を用いた高さ測定方法であって、
前記支持部は、その先端部を斜め上に向けて支持されることを特徴とする高さ測定方法。
【請求項４】
前記測定対象物は、橋梁の桁又は桁下防護工であり、
前記地面は、道路面であることを特徴とする請求項３に記載の高さ測定方法。
【発明の詳細な説明】
【技術分野】
【０００１】
本発明は、測定対象物の地面からの高さを測定するための高さ測定器、及びその高さ測定器を用いた高さ測定方法に関する。
【背景技術】
【０００２】
道路の上を越える橋梁の検査において、桁及び桁下防護工の空頭測定が行われる。桁の空頭とは、道路面（地面）から桁の下面までの高さである。桁下防護工の空頭とは、道路面から桁下防護工の下面までの高さである。従来から、空頭測定は、測定棒又はレーザ距離計（レーザ測距計）を用いた測定方法がある。測定棒を用いた測定方法では、測定者は、道路面から真上に向けて桁又は桁下防護工まで測定棒を伸ばして空頭を測定する。レーザ距離計は、レーザを出射してその反射光を受光して反射面までの距離を測定する機器である（例えば、特許文献１参照）。レーザ距離計を用いた測定方法では、測定者は、レーザ距離計を道路面に置いて真上の桁又は桁下防護工にレーザを出射して空頭を測定する。
【０００３】
しかしながら、いずれの測定方法でも、測定者が桁等の真下の道路上で測定作業を行うので、交通事故のリスクが懸念される。また、このような測定方法では、測定棒やレーザ出射方向の傾きによって測定誤差が生じやすく、測定精度を上げるために作業時間を要していた。
【０００４】
もし、測定者が歩道や桁下外等の車が通行しない場所で測定作業を行えれば、交通事故のリスクが無くなる。しかし、このような場所では、測定対象物である桁等が測定者の斜め上方に位置するので、測定棒やレーザ距離計を用いた従来の方法では桁等の高さを測定することができない。
【先行技術文献】
【特許文献】
【０００５】
【特許文献１】特開平１０−２４６７８２号公報
【発明の概要】
【発明が解決しようとする課題】
【０００６】
本発明は、上記問題を解決するものであり、測定者の斜め上方にある測定対象物の地面からの高さを精度良く測定することを目的とする。
【課題を解決するための手段】
【０００７】
本発明の高さ測定器は、測定対象物の地面からの高さを測定するためのものであって、レーザを出射してその反射光を受光して反射面までの距離を測定するレーザ距離計と、長尺状の支持部と、前記レーザ距離計を前記支持部の先端部に吊下げる吊下げ部とを備え、前記吊下げ部は、全水平方向に揺動可能に前記レーザ距離計を吊下げ、前記レーザ距離計は、前記吊下げ部によってレーザの出射方向が鉛直下向きになることを特徴とする。
【０００８】
本発明の高さ測定器において、前記吊下げ部は、球継手を有し、前記レーザ距離計は、前記球継手を介して前記支持部の先端部に吊下げられることが好ましい。
【０００９】
本発明の高さ測定方法は、前記高さ測定器を用いた高さ測定方法であって、前記支持部は、その先端部を斜め上に向けて支持されることを特徴とする。
【００１０】
この高さ測定方法において、前記測定対象物は、橋梁の桁又は桁下防護工であり、前記地面は、道路面であってもよい。
【発明の効果】
【００１１】
本発明の高さ測定器によれば、支持部の先端部に全水平方向に揺動可能にレーザ距離計を吊下げ、レーザの出射方向が鉛直下向きになるので、支持部を斜めに支持することにより、測定者の斜め上方にある測定対象物から地面までの距離、すなわち測定対象物の地面からの高さを精度良く測定することができる。
【図面の簡単な説明】
【００１２】
【図１】本発明の一実施形態に係る高さ測定器の側面図。
【図２】同高さ測定器の使用状態を示す側面図。
【発明を実施するための形態】
【００１３】
本発明の一実施形態に係る高さ測定器を図１を参照して説明する。この高さ測定器は、地面からの高さを測定するための測定器である。図１に示すように、高さ測定器１は、レーザ距離計２と、支持部３と、吊下げ部４とを備える。レーザ距離計２は、レーザを出射してその反射光を受光して反射面までの距離を測定するものである。支持部３は、長尺状の部材である。吊下げ部４は、レーザ距離計２を支持部３の先端部３１に吊下げる部材である。この吊下げ部４は、全水平方向に揺動可能にレーザ距離計２を吊下げる。レーザ距離計２は、吊下げ部４によってレーザＬの出射方向が鉛直下向きになる。
【００１４】
吊下げ部４は、球継手４１を有する。レーザ距離計２は、球継手４１を介して支持部３の先端部３１に吊下げられる。
【００１５】
上記のように構成された高さ測定器１の各構成をさらに詳述する。レーザ距離計２が測定した測定値は、レーザ距離計２の表面に表示され、その表示を読めば測定値がわかる。レーザ距離計２として、デジタル機器用の近距離無線通信（ＩＥＥＥ  ８０２．１５．１）機能を有するものを用い、測定値をユーザが携行するスマートフォン等の携帯端末に無線で送信してもよい。
【００１６】
支持部３は、棒３２と、屈曲部３３とを有する。本実施形態では、棒３２は、真っ直ぐな丸棒である。この棒３２は、使用時に、ユーザに基端側を持たれ、斜めに支持される。屈曲部３３は、屈曲した形状を有し、棒３２の先端側に設けられる。このため、支持部３の先端部３１は、棒３２の長尺方向の延長線Ｘから偏倚した位置にある。この偏倚によって、吊下げられたレーザ距離計２が支持部３と干渉することが防がれる。なお、高さ測定器１を万一誤って電線に触れた場合の感電を防ぐために支持部３を絶縁してもよい。例えば、棒３２は、絶縁物であるＦＲＰ（繊維強化プラスチック）製である。なお、支持部３を伸縮可能に構成してもよい。また、複数の棒３２を直列に接続することによって支持部３を延長可能としてもよい。
【００１７】
吊下げ部４は、球継手４１を有し、球継手４１の一方が支持部３の先端部３１に取り付けられ、他方にホルダ４２を有する。ホルダ４２は、金属製の枠であり、レーザ距離計２を保持する。球継手４１は、ボールジョイントとも呼ばれ、球体（ボール）と、その球体に球面接触するソケットとを有し、任意の方向に回転可能な継手（ジョイント）である。レーザ距離計２は、球継手４１によって全水平方向に揺動可能に吊下げられ、レーザ距離計２に働く重力によってレーザＬの出射方向が鉛直下向きになる。
【００１８】
上記のように構成された高さ測定器１を用いた高さ測定方法の一例を図２を参照して説明する。測定対象物は、例えば、橋梁の桁５である。測定対象物が桁下防護工等であってもよい。測定する高さは、地面である道路面６からの桁５の高さである。なお、桁５は、橋台５１等の下部工で支えられている。測定者である高さ測定器１のユーザ７は、道路面６に隣接する歩道６１の上に立つ。ユーザ７は、支持部３の先端部３１を斜め上に向けて支持部３を支持する。そして、先端部３１を桁５に近接させる。レーザ距離計２は、レーザＬを鉛直下向きに出射して、道路面６までの距離ｄ１を測定する。レーザ距離計２におけるレーザを出射及び受光する部分と支持部３の先端部３１との距離ｄ２は一定である。距離ｄ１と距離ｄ２の和（ｄ１＋ｄ２）が、道路面６からの桁５の高さ、すなわち桁下空頭である。なお、高さ測定器１は、桁下空頭の測定に特に適していることから、桁下空頭測距器と呼ばれることがある。
【００１９】
以上、本実施形態に係る高さ測定器１によれば、支持部３の先端部３１に全水平方向に揺動可能にレーザ距離計２を吊下げ、レーザＬの出射方向が鉛直下向きになるので、支持部３を斜めに支持することにより、測定者の斜め上方にある測定対象物から地面までの距離、すなわち測定対象物の地面からの高さを精度良く測定することができる。
【００２０】
レーザ距離計２は、球継手４１を介して支持部３の先端部３１に吊下げられるので、全水平方向に揺動可能となる。
【００２１】
なお、本発明は、上記の実施形態の構成に限られず、発明の要旨を変更しない範囲で種々の変形が可能である。例えば、吊下げ部４は、球継手４１の代わりに、直交する２つの水平方向に揺動可能な振り子機構を上下に直列接続することによってレーザ距離計２を全水平方向に揺動可能に構成してもよい。また、高さ測定器１を桁及び桁下防護工の空頭測定以外の高さ測定に用いてもよい。
【符号の説明】
【００２２】
１  高さ測定器
２  レーザ距離計
３  支持部
３１  支持部の先端部
４  吊下げ部
４１  球継手
【図１】
2019002685.tif 000003
【図２】
2019002685.tif 000004